(57)【要約】【課題】  灰皿等の物受け体の交換、清掃作業の容易化を図り、遊技店又は遊技者の要望に応じて灰皿とドリンクホルダ等、用途の異なる物受け体を供給可能な遊技機用受け皿を提供する。【解決手段】  本発明は、遊技機１の前面下部に設けられ、遊技媒体を貯留する皿部２３を備えた遊技機用受け皿１８において、皿部２３の近傍には、それぞれ異なる物を収容する第１の物受け体２６と第２の物受け体２８を着脱自在に収容可能な物受け収容部２５が設けられ、物受け収容部２５は、第１の物受け体２６と第２の物受け体２８の両方が同時に使用可能な状態で収容可能に形成されていることを特徴とする。【選択図】  図１
2005066002.tif 000002
【特許請求の範囲】
【請求項１】
遊技機の前面下部に設けられ、遊技媒体を貯留する皿部を備えた遊技機用受け皿において、
前記皿部の近傍には、それぞれ異なる物を収容する第１の物受け体と第２の物受け体を着脱自在に収容可能な物受け収容部が設けられ、該物受け収容部は、前記第１の物受け体と前記第２の物受け体の両方が同時に使用可能な状態で収容可能に形成されていることを特徴とする遊技機用受け皿。
【発明の詳細な説明】
【技術分野】
【０００１】
本発明は、遊技機の前面下部に設けられ、遊技媒体を貯留する皿部を備えた遊技機用受け皿に関し、さらに詳しくは、所要の物を収容可能な物受け体を収容可能な遊技機用受け皿に関する。
【背景技術】
【０００２】
従来から、パチンコ遊技機やスロットマシン等の遊技機には、前面下部に遊技用の球やコイン等の遊技媒体を貯留するための皿部が設けられ、その皿部の近傍には物受け体として喫煙者用の吸殻を入れる灰皿が装備されている（例えば、特許文献１参照）。そして、通常、このような灰皿は前方に回動可能に設けられており、灰皿の清掃時には、この灰皿を前方に回動させ、灰皿内の灰や吸殻等を回収するようになっている。
【０００３】
【特許文献１】特許第２７００１９９号公報
【発明の開示】
【発明が解決しようとする課題】
【０００４】
ところが、近年では、煙草の害が叫ばれている中、遊技者にも禁煙者や嫌煙者が増加しているため、物入れとして灰皿だけを用意するのでは、遊技者のニーズに即さなくなってきており、時代に合った物入れが望まれている。そこで、灰皿に変えて、例えば、携帯電話用ホルダや、ドリンクホルダ等を設置することも考えられる。
【０００５】
しかしながら、灰皿を単に上記した物入れに変えてしまうと、灰皿を装備した従来の遊技機に慣れ親しんだ遊技店や遊技者に違和感を与えるおそれがあり、また、その交換作業に手間が掛かるといった問題もあった。
【０００６】
また、現行の灰皿においては、遊技者が遊技中の場合に遊技者が障害となって灰皿から灰や吸殻等をスムーズに回収することが困難であり、また、灰皿の清掃時に遊技者や清掃者に吸殻等が降りかかるおそれがあるといった問題も生じていた。
【０００７】
さらに、遊技店によっては禁煙コーナーを設けて分煙化を図っているところもあり、このような禁煙コーナーでは、遊技機に備付けの灰皿を使用させないように灰皿に蓋を取付けたり、シールを貼ったりしており、その作業に手間が掛かっていた。
【０００８】
さらにまた、このような禁煙コーナーを設置していない遊技店でも、上記した吸殻処理等の問題により、遊技島に灰皿を別個に設置し、遊技機に備付けの灰皿を利用できないようにしている場合もあり、遊技機に備付けの灰皿が有効に利用されていなかった。
【０００９】
本発明は、上記課題を解決すべくなされたものであり、灰皿等の物受け体の交換、清掃作業の容易化を図り、遊技店又は遊技者の要望に応じて灰皿とドリンクホルダ等、用途の異なる物受け体を供給可能な遊技機用受け皿を提供するものである。
【課題を解決するための手段】
【００１０】
本発明は、遊技機の前面下部に設けられ、遊技媒体を貯留する皿部を備えた遊技機用受け皿において、前記皿部の近傍には、それぞれ異なる物を収容する第１の物受け体と第２の物受け体を着脱自在に収容可能な物受け収容部が設けられ、該物受け収容部は、前記第１の物受け体と前記第２の物受け体の両方が同時に使用可能な状態で収容可能に形成されていることを特徴とする。
【発明の効果】
【００１１】
本発明によれば、第１の物受け体と第２の物受け体が着脱自在に設けられているため、それぞれの物受け体の交換、清掃作業の容易化を図ることができ、また、第１の物受け体と第２の物受け体の両方を同時に使用可能な状態にすることができるため、遊技店や遊技者のいろいろな要望に柔軟に対応することができる等種々の優れた効果を得ることができる。
【発明を実施するための最良の形態】
【００１２】
以下、図面を参照しつつ、本発明の実施の形態について説明する。以下の説明では、本発明に係る遊技機としてパチンコ遊技機を例にとって説明する。
【００１３】
図１は第１の実施の形態に係るパチンコ遊技機１の正面図を示しており、このパチンコ遊技機１は、方形枠状の外枠２と、外枠２の前面に設けられた前枠３とを備えており、前枠３は、外枠２の正面左側上下に設けられたヒンジ金具４，５により開閉可能に設けられていると共に、外枠２の正面右側に設けられた施錠具６により閉鎖状態が保持されるようになっている。また、前枠３内には、遊技盤７が収容され、遊技盤７の前面側には、図柄表示装置８、中央飾り９、始動入賞口１０、大入賞口１１等の各種遊技部品がそれぞれ配設され、遊技領域１２が形成されている。
【００１４】
前枠３の正面側には、前枠３に対して開閉且つ着脱可能にガラス扉１３が設けられ、ガラス扉１３にはガラス板１４が二重に装填され、ガラス扉１３により遊技領域１２の前面側が閉鎖された状態で保持されるようになっている。前枠３のガラス扉１３の下方には、上球受け皿１５が前方に突出して設けられ、上球受け皿１５には払い出された遊技球を貯留して整列させる上皿部１６と、上皿部１６内の遊技球を後述する下皿部２３に排出させるための球抜きレバー１７とが設けられている。前枠３の上球受け皿１５の下方には、下球受け皿１８が前方に突出して設けられ、下球受け皿１８の正面右側には発射ハンドル１９が前方に突出して設けられている。そして、発射ハンドル１９を時計回り方向に回動すると、上皿部１６から供給された遊技球が遊技領域１２に送出されるようになっている。また、パチンコ遊技機１の上方には、呼び出し釦２０が設けられ、呼び出し釦２０を押すと、呼び出しランプ２１が点灯し、店員に対して報知可能となっている。なお、呼び出し釦２０は、図１中６２で示すように、パチンコ遊技機１の所定の場所に設けてもよい。
【００１５】
次に、図１〜図７を参照しつつ、下球受け皿１８について説明する。なお、以下の説明では、第１の物受け体として灰皿、第２の物受け体としてドリンクホルダを設置した場合について例示する。
【００１６】
下球受け皿１８は、受け皿外装体２２と、遊技球を貯留可能な下皿部２３を備えた受け皿本体２４とから構成され、下皿部２３の正面左側近傍の受け皿外装体２２には、物受け収容部２５が形成されている。物受け収容部２５には、下皿部２３側から、灰皿２６を着脱自在に収容可能な灰皿収容部２７、ドリンクホルダ２８を着脱自在に収容可能なドリンクホルダ収容部２９がそれぞれ並設され、灰皿２６とドリンクホルダ２８の両方が同時に使用可能な状態で収容可能となっている。また、下皿部２３と物受け収容部２５との間には区画壁３０が受け皿外装体２２と一体に形成され、区画壁３０は灰皿収容部２７に装着時の灰皿２６の頂部より高くなるように形成されている。これにより、灰皿２６から下皿部２３に灰が飛散するのを防止できると共に、下皿部２３と灰皿２６との間の遊技球の往来を抑制することができる。このため、例えば、遊技者が下皿部２３に貯留された遊技球を上皿部１６に持ち上げようとして下皿部２３から遊技球が溢れ出ても、溢れ出た遊技球が区画壁３０に阻止されて灰皿２６側に転落することがなく、また、灰皿２６側の煙草の灰が溢れて下皿部２３に混入し、遊技球が灰まみれになることもない。したがって、遊技球を介してパチンコ遊技機１内部に運び込まれる灰の量を削減でき、２次的トラブルの発生を抑制することができる。また、区画壁３０は一定の幅を有し、前方に下傾して形成されているため、万が一、遊技球が区画壁３０の上面に乗ったとしても、その遊技球は前方に導かれて灰皿２６側に転落し難い構成となっている。
【００１７】
物受け収容部２５には、灰皿収容部２７とドリンクホルダ収容部２９の間に境界壁３１が立設され、境界壁３１と区画壁３０の間に灰皿収容部２７が形成され、境界壁３１と区画壁３０間の内寸法は灰皿２６の幅より僅かに大きくなっている。灰皿収容部２７の底部３２には区画壁３０から境界壁３１に渡って補強壁３３が立設され、補強壁３３の上端中央部には灰皿突起収容スリット３４が切欠されている。
【００１８】
ドリンクホルダ収容部２９は平面的にドリンクホルダ２８より僅かに大きく形成され、底部３５には、円形状のドリンクホルダ挿通孔３６が開口され、ドリンクホルダ挿通孔３６にはドリンクホルダ２８が挿通可能となっている。また、ドリンクホルダ収容部２９の周囲の左右及び前側部分には、内鍔状のドリンクホルダ支持台部３７が形成され、ドリンクホルダ支持台部３７の前側部分はドリンクホルダ挿通孔３６に沿って円弧状に曲成されている。
【００１９】
受け皿本体２４には、灰皿収容部２７を臨む鉛直面３８に、灰皿連結ピン３９が前方に突出して形成され、灰皿連結ピン３９は先細テーパ状に形成されている。また、受け皿本体２４の後面には、所要数の各種組付けスリーブ４０が突設され、これらの組付けスリーブ４０により受け皿本体２４が前枠３に組付けられるようになっている。さらに、図１に示されているように、受け皿本体２４の下皿部２３には下皿球抜きレバー４１が設けられ、下皿部２３が遊技球で満杯となった場合、下皿球抜きレバー４１を操作すると、下皿部２３の底面が開口し、下皿部２３内の遊技球を下方の別箱４２に排出できるようになっている。
【００２０】
灰皿２６は、灰皿収容部２７に整合可能な形状を成し、上面には、後側から吸殻受け部４３、煙草揉消し部４４がそれぞれ凹状に形成され、吸殻受け部４３は煙草揉消し部４４より深くなっている。吸殻受け部４３及び煙草揉消し部４４の上部周縁部４５は鍔状に延出し、周縁部４５の前側中央部分にはＵ型溝状の煙草支持部４６が突設され、周縁部４５の両側及び後側には周壁４７が立設されている。また、煙草揉消し部４４の下面には鰭状の灰皿突起４８が突設され、灰皿突起４８の中央部には灰皿収容部２７の灰皿突起収容スリット３４に収容且つ係止可能な灰皿係止切欠部４９が形成されている。さらに、灰皿２６の後面には周縁部３３の後側中央部分下方に灰皿連結ピン収容部５０が形成され、灰皿連結ピン収容部５０に灰皿連結ピン３９が圧入形態で係合可能となっている。
【００２１】
ドリンクホルダ２８はドリンクホルダ２８に整合可能な形状を成し、底部の飲料用容器載置部５１と円筒状の周壁部５２とにより内部に飲料用容器収容部５３が形成されている。飲料用容器載置部５１には放射状に複数（図示では、内側に４個、外側に８個の合計１２個）のスリット孔５４が形成され、周壁部５２には複数（図示では８個）の矩形孔５５が形成され、スリット孔５４及び矩形孔５５を介して飲料用収容部５３内の洗浄時に出る洗浄排水等を外部に排出できるようになっている。また、飲料用容器収容部５３の上端周縁部には外鍔状に当接部５６が形成され、当接部５６はドリンクホルダ支持台部３７上に載置可能となっている。さらに、当接部５６の前側中央部には把持部５７が突設され、把持部５７は把持し易いように前後方向に平板状に形成されている。
【００２２】
次に、物受け収容部２５に対する灰皿２６及びドリンクホルダ２８の着脱方法について説明する。
【００２３】
物受け収容部２５に灰皿２６を装着する場合、図２〜図６に良く示されているように、灰皿連結ピン３９に灰皿２６の灰皿連結ピン収容部５０を押し込み、圧入させると共に、灰皿突起４８の灰皿係止切欠部４９を灰皿突起収容スリット３４に収容させ、係止させる。このように、灰皿連結ピン３９が灰皿連結ピン収容部５０に圧入形態で保持され、灰皿係止切欠部４９が灰皿突起収容スリット３４に収容且つ係止されることにより、灰皿２６の上下左右方向及び前方への動きは規制される。また、受け皿本体２４の鉛直面３８により灰皿２６の後方への動きが規制され、区画壁３０及び境界壁３１により灰皿２６の左右への揺動が規制される。したがって、灰皿２６は、安定性良く、確実に灰皿収容部２７に収容される。また、境界壁３１と区画壁３０間の内寸法が灰皿２６の幅より僅かに大きく形成され、また、灰皿２６の周縁部４５には、灰皿収容部２７を臨む鉛直面３８及び区画壁３０と境界壁３１に沿うように周壁４７が形成されているため、灰皿収容部２７に対する灰皿２６の装着作業は円滑且つ容易に行うことができる。
【００２４】
また、灰皿２６を灰皿収容部２７から取り外す場合、灰皿突起４８に指を掛け、灰皿２６の前端部を持ち上げ、灰皿係止切欠部４９と灰皿突起収容スリット３４との係止状態及び灰皿連結ピン３９と灰皿連結ピン収容部５０との圧入係合状態を解除させる。この時、図６に示されているように、灰皿２６の前端部下方には指を灰皿突起４８の下方に挿入するのに十分な空間５８が形成されているので、灰皿２６の交換を円滑且つ容易に行うことができる。
【００２５】
一方、物受け収容部２５にドリンクホルダ２８を装着する場合、図２〜図５及び図７に良く示されているように、ドリンクホルダ収容部２９に上方からドリンクホルダ２８を収容させ、ドリンクホルダ２８の下側部分５９をドリンクホルダ挿通孔３６に挿通させ、当接部５６をドリンクホルダ支持台部３７に載置する。この時、ドリンクホルダ収容部２９は平面的にドリンクホルダ２８より僅かに大きく形成されているため、ドリンクホルダ収容部２９に対するドリンクホルダ２８の装着作業は円滑且つ容易に行うことができる。そして、この状態において、ドリンクホルダ２８の飲料用容器収容部５３内に飲料用容器６０を収容させると、飲料用容器６０はドリンクホルダ２８の飲料用容器載置部５１に載置され、飲料用容器６０の側面はドリンクホルダ２８の周壁部５２により保持されるため、飲料用容器６０は飲料用容器収容部５３内に安定性良く保持される。また、例え、飲料用容器収容部５３内に飲料水等をこぼしたとしても、飲料用容器載置部５１及び周壁部５２にそれぞれスリット孔５４及び矩形孔５５が設けられているため、水洗いが可能であり、飲料用容器収容部５３内を清潔に保つことができると共に、清掃作業の簡素化、効率化を図ることができる。また、図４及び図７に良く示されているように、ドリンクホルダ２８は、下側部分５９がドリンクホルダ収容部２９から下方に突出した状態で収容されるようになっているので、ドリンクホルダ２８内にはある程度背の高い飲料用容器６０も収容することもできる。
【００２６】
また、ドリンクホルダ２８をドリンクホルダ収容部２９から取り外す場合、ドリンクホルダ２８の前側に形成された把持部５７を把持し、ドリンクホルダ２８を持ち上げることにより行う。この場合、把持部５７は把持しやすい位置に把持し易い形状で形成されているので、ドリンクホルダ２８の交換を容易に行うことができる。
【００２７】
以上説明したように、上記した実施の形態に係るパチンコ遊技機１によれば、遊技者は、遊技中、灰皿２６を使用することができ、さらにドリンクホルダ２８に飲料用容器６０を置くことができるため、快適な気分で遊技を楽しむことができる。また、遊技者の遊技中に、灰皿２６を回収し、清掃後に再度装着させる場合、或いは、灰皿２６を予め取り外しておいて遊技者から呼び出し釦２０，６２等により要求のあった場合に灰皿２６を装着させたり、又はその反対に灰皿２６を予め装着させておいて遊技者から呼び出し釦２０，６２等により要求があった場合に灰皿２６を取り外したりする場合でも、灰皿２６の着脱作業を容易且つ円滑に行うことができるため、作業効率の向上が図れ、灰皿２６の着脱作業時に遊技者に迷惑を掛けたり、不愉快な思いをさせることがなく、遊技者は遊技に集中することができる。さらに、灰皿２６が下皿部２３の正面左側に設けられるようになっているため、遊技店の係員は遊技者の遊技を妨げることなく灰皿２６を回収し、遊技者の後方で吸殻をバケツ等に回収することができる。したがって、従来の回動形態の灰皿のように、回収操作を誤って吸殻や灰を周囲に撒き散らしてしまうようなことがなく、さらに灰皿２６を着脱する時の灰皿２６の傾き角が小さいため、収容された吸殻が灰皿２６の後方にこぼれ落ちる心配もない。また、日常の点検や盤面交換等において、灰皿２６の汚れがひどいような場合には灰皿２７を取り外して丸洗い洗浄をすることができ、損傷を受けているような場合には専門の営業者を呼ぶまでもなく営業時間中に灰皿２６を簡単に交換することができる。また、遊技店が禁煙コーナーを設けて分煙化を図る場合にも、灰皿２６を容易に取り外すことができ、灰皿２６に蓋を取付けたり、シールを貼ったりする手間を掛ける必要がなく、さらに、灰皿２６を使用しない場合には、灰皿収容部２７をコイン置き場等、所要の物の置き場として使用することもできる。さらにまた、ドリンクホルダ２８には、紙コップやペットボトル等、各種飲料用容器６０を安定性良く収容することができ、また、ドリンクホルダ２８の交換作業も容易且つ円滑に行うことができる。
【００２８】
このように、灰皿２６とドリンクホルダ２８が容易に着脱自在で、しかも、灰皿２６とドリンクホルダ２８の両方を同時に使用可能な物受け収容部２５を備えることにより、遊技者及び遊技施設の双方にとって取り扱いが容易で快適な遊技環境を提供することができる。また、遊技店や遊技者の各種要求に柔軟且つ容易且つ円滑に対応することができ、灰皿２６やドリンクホルダ２８の清掃、交換等に要する人件費の低減化、遊技者に対するサービスの向上等を図ることができる。
【００２９】
なお、上記した実施の形態においては、パチンコ遊技機１について説明したが、これは単なる例示であり、本発明は、例えば、図８に示すように、スロットマシン６１等、他の遊技機にも適用可能である。
【００３０】
また、灰皿２６及びドリンクホルダ２８は、予備用にもう１個ずつ用意しておき、灰皿２６やドリンクホルダ２８が汚れたり、破損したりした場合に、予備のものと交換するようにしてもよい。この場合には、遊技中の遊技機であっても灰皿２６やドリンクホルダ２８の交換作業をなお一層迅速且つ円滑に行うことができ、上記した効果をさらに高めることができる。
【００３１】
さらに、上記した実施の形態における灰皿係止切欠部４９と灰皿突起収容スリット３４、灰皿連結ピン３９と灰皿連結ピン収容部５０、当接部５６とドリンクホルダ支持台部３７等の、灰皿２６及びドリンクホルダ２８の保持手段の形状、構造等は単なる例示であり、例えば、灰皿収容部２７の周囲に支持台部を設けたり、ドリンクホルダ収容部２９にドリンクホルダ２８との係合部を設ける等、各種変更が可能である。
【００３２】
さらにまた、上記実施の形態では、灰皿収容部２７とドリンクホルダ収容部２９が左右に並設され、ドリンクホルダ収容部２９が灰皿収容部２７の正面左側に配置されているが、それぞれ左右反対の位置に配置されていてもよく、また、灰皿収容部２７とドリンクホルダ収容部２９が上下又は前後に配置されるように構成させてもよい。
【００３３】
さらに、物受け収容部２５は、上記した灰皿２６とドリンクホルダ２８の組合せに限らず、コイン用ホルダと携帯電話用ホルダの組合せ等、用途の異なる２種類の物を収容する第１の物受け体と第２の物受け体が着脱自在に収容可能なように形成することもできる。
【図面の簡単な説明】
【００３４】
【図１】本発明の実施の形態におけるパチンコ遊技機を示す正面図である。
【図２】本発明の実施の形態における物受け収容部から灰皿及びドリンクホルダを取り外した状態を示す平面図である。
【図３】本発明の実施の形態における物受け収容部に灰皿又はドリンクホルダを装着した状態を示す平面図である。
【図４】本発明の実施の形態における物受け収容部に灰皿及びドリンクホルダを装着した状態を示す正面図である。
【図５】本発明の実施の形態における物受け収容部に灰皿及びドリンクホルダを装着する過程を示す背面図である。
【図６】本発明の実施の形態における物受け収容部に灰皿を装着した状態を示す断面図である。
【図７】本発明の実施の形態における物受け収容部にドリンクホルダを装着した状態を示す断面図である。
【図８】本発明を適用したスロットマシンを示す正面図である。
【符号の説明】
【００３５】
１          パチンコ遊技機
１８        下球受け皿
２３        下皿部
２５        物受け収容部
２６        灰皿
２８        ドリンクホルダ
６１        スロットマシン
【図１】
2005066002.tif 000003
【図２】
2005066002.tif 000004
【図３】
2005066002.tif 000005
【図４】
2005066002.tif 000006
【図５】
2005066002.tif 000007
【図６】
2005066002.tif 000008
【図７】
2005066002.tif 000009
【図８】
2005066002.tif 000010